【手続補正書】
【提出日】平成17年10月21日(2005.10.21)
【手続補正１】
【補正対象書類名】特許請求の範囲
【補正対象項目名】全文
【補正方法】変更
【補正の内容】
【特許請求の範囲】
【請求項１】
サンプル中のポリペプチドの存在を検出するための方法であって、該ポリペプチドは、以下：
ｉ）配列番号１または配列番号３のヌクレオチド配列を含む核酸に対して少なくとも９５％同一であるヌクレオチド配列を含む核酸分子によりコードされる、ポリペプチド；および
ｉｉ）配列番号２のアミノ酸配列に対して少なくとも９５％同一であるアミノ酸配列を含む、ポリペプチド：
からなる群より選択され、該方法は、以下：
ａ）該サンプルを、該ポリペプチドに選択的に結合する抗体と接触させる工程；および
ｂ）該抗体が該サンプル中の該ポリペプチドに結合するかどうかを決定し、それによって、該サンプル中の該ポリペプチドの存在を検出する工程、
を包含する、方法。
【請求項２】
ポリペプチドに選択的に結合する抗体および使用のための指示書を備えるキットであって、該ポリペプチドは、以下：
ｉ）配列番号１または配列番号３のヌクレオチド配列を含む核酸に対して少なくとも９５％同一であるヌクレオチド配列を含む核酸分子によりコードされる、ポリペプチド；および
ｉｉ）配列番号２のアミノ酸配列に対して少なくとも９５％同一であるアミノ酸配列を含む、ポリペプチド：
からなる群より選択される、キット。
【請求項３】
サンプル中の核酸分子の存在を検出するための方法であって、該核酸分子は、以下：
ｉ）配列番号１または配列番号３のヌクレオチド配列に対して少なくとも９５％同一であるヌクレオチド配列を含む核酸分子；および
ｉｉ）配列番号２のアミノ酸配列に対して少なくとも９５％同一であるアミノ酸配列を含むポリペプチドをコードする、核酸分子：
からなる群より選択され、該方法は、以下：
ａ）該サンプルを、該核酸分子に選択的にハイブリダイズする核酸プローブまたはプライマーと接触させる工程；および
ｂ）該核酸プローブまたはプライマーが、該サンプル中の核酸分子に結合するかどうかを決定し、それによって、該サンプル中の核酸分子の存在を検出する工程、
を包含する、方法。
【請求項４】
前記サンプルが、ｍＲＮＡ分子を含み、そして核酸プローブと接触されている、請求項３に記載の方法。
【請求項５】
核酸分子に選択的にハイブリダイズする核酸プローブまたはプライマー、および使用のための指示書を備えるキットであって、該核酸分子は、以下：
ｉ）配列番号１または配列番号３のヌクレオチド配列に対して少なくとも９５％同一であるヌクレオチド配列を含む核酸分子；および
ｉｉ）配列番号２のアミノ酸配列に対して少なくとも９５％同一であるアミノ酸配列を含むポリペプチドをコードする、核酸分子：
からなる群より選択される、キット。
【請求項６】
ポリペプチドに結合する化合物を同定するための方法であって、該ポリペプチドは、以下：
ｉ）配列番号１または配列番号３のヌクレオチド配列を含む核酸に対して少なくとも９５％同一であるヌクレオチド配列を含む核酸分子によりコードされる、ポリペプチド；および
ｉｉ）配列番号２のアミノ酸配列に対して少なくとも９５％同一であるアミノ酸配列を含む、ポリペプチド：
からなる群より選択され、該方法は、以下：
ａ）該ポリペプチド、または該ポリペプチドを発現する細胞を、試験化合物と接触させる工程；および
ｂ）該ポリペプチドが該試験化合物に結合するかどうかを決定し、それによって、該ポリペプチドに結合する化合物を同定するための工程、
を包含する、方法。
【請求項７】
請求項６に記載の方法であって、該ポリペプチドへの該試験化合物の結合が、以下：
ａ）試験化合物／ポリペプチド結合の直接的な検出による、結合の検出；および
ｂ）競合結合アッセイを使用する、結合の検出、
からなる群より選択される方法により検出される、方法。
【請求項８】
ポリペプチドの活性を調節するための組成物であって、該ポリペプチドは、以下：
ｉ）配列番号１または配列番号３のヌクレオチド配列を含む核酸に対して少なくとも９５％同一であるヌクレオチド配列を含む核酸分子によりコードされる、ポリペプチド；および
ｉｉ）配列番号２のアミノ酸配列に対して少なくとも９５％同一であるアミノ酸配列を含む、ポリペプチド：
からなる群より選択され、該組成物が、該ポリペプチドの活性を調節するために処方された因子を含む、組成物。
【請求項９】
ポリペプチドの活性を調節する化合物を同定するための方法であって、該ポリペプチドは、以下：
ｉ）配列番号１または配列番号３のヌクレオチド配列を含む核酸に対して少なくとも９５％同一であるヌクレオチド配列を含む核酸分子によりコードされる、ポリペプチド；および
ｉｉ）配列番号２のアミノ酸配列に対して少なくとも９５％同一であるアミノ酸配列を含む、ポリペプチド：
からなる群より選択され、該方法は、以下：
ａ）該ポリペプチドを試験化合物と接触させる工程；および
ｂ）該ポリペプチドの活性に対する該試験化合物の効果を決定し、それによって、該ポリペプチドの活性を調節する化合物を同定する工程、
を包含する、方法。
【請求項１０】
血液学的障害を有するか、または血液学的障害を発症する危険性のある被験体を同定する方法であって、該方法は、以下：
ａ）患者のサンプル中のポリペプチドの発現レベルであって、該ポリペプチドは、以下：
ｉ）配列番号１または配列番号３のヌクレオチド配列を含む核酸に対して少なくとも９５％同一であるヌクレオチド配列を含む核酸分子によりコードされる、ポリペプチド；および
ｉｉ）配列番号２のアミノ酸配列に対して少なくとも９５％同一であるアミノ酸配列を含む、ポリペプチド：
からなる群より選択される、患者のサンプル中のポリペプチドの発現レベル；と
ｂ）コントロールサンプル中のポリペプチドの正常な発現レベル
とを比較する工程を包含し、ここで、該コントロールサンプルと比較した該患者のサンプル中のポリペプチドの発現レベルの差異は、該被験体が血液学的障害を有するか、または血液学的障害を発症する危険性のあるという指標である、方法。
【請求項１１】
請求項１０に記載の方法であって、前記ポリペプチドに特異的に結合する抗体またはその免疫学的に活性な部分を使用してタンパク質の量を検出することにより、前記発現レベルが決定される、方法。
【請求項１２】
前記抗体またはその免疫学的に活性な部分が、検出可能に標識されている、請求項１１に記載の方法。
【請求項１３】
請求項１２に記載の方法であって、検出可能な標識が、以下：
ａ）酵素；
ｂ）補欠分子団；
ｃ）蛍光物質；
ｄ）発光物質；
ｅ）生物発光物質；および
ｆ）放射活性物質
からなる群より選択される、方法。
【請求項１４】
請求項１１に記載の方法であって、前記抗体またはその免疫学的に活性な部分が、以下：
ａ）モノクローナル抗体；
ｂ）ポリクローナル抗体；
ｃ）Ｆａｂフラグメント；および
ｄ）Ｆ（ａｂ’）２フラグメント
からなる群より選択される、方法。
【請求項１５】
請求項１０に記載の方法であって、前記発現レベルが、以下：
ａ）酵素結合免疫吸着検定法；
ｂ）免疫沈降；
ｃ）免疫蛍光；
ｄ）酵素免疫アッセイ；
ｅ）放射免疫アッセイ；および
ｆ）ウエスタンブロット
からなる群より選択される技術を使用して決定される、方法。
【請求項１６】
前記血液学的障害が、貧血である、請求項１０に記載の方法。
【請求項１７】
異常な２１１３２ポリペプチド活性または異常な２１１３２核酸発現によって特徴付けられる障害を有する被験体、あるいは該障害を処置するための医薬の製造における２１１３２調節因子の使用であって、該処置は、該被験体に２１１３２調節因子を投与する工程を包含し、それによって、該障害を有する該被験体を処置する、使用。
【請求項１８】
前記調節因子が、有機低分子、ペプチド、ポリヌクレオチドおよび抗体からなる群より選択される、請求項１７に記載の使用。
【請求項１９】
前記障害が、造血障害および免疫障害からなる群より選択される、請求項９に記載の方法。
【請求項２０】
前記障害が、造血障害および免疫障害からなる群より選択される、請求項１７に記載の使用。